(57)【要約】【課題】ユーザーがアプリケーションプログラム毎にファイル渡しの要否を意識しなくてもよいようにする。【解決手段】本コンピュータ装置は、アプリケーション起動ボタンの所定のボタン（アプリケーションプログラム）をクリックすると、ＣＰＵ１６は不図示のアクション定義テーブルを参照して該ボタンがファイルを必要とするか否かを判断し、必要とするとき、ファイル選択ＧＵＩ手段１２にファイル選択画面をＧＵＩ表示させ、更にファイル一覧表示ＧＵＩ手段１３でファイルの一覧画面をＧＵＩ表示させる。これらの表示により所定のファイルを選択すると、アクション実行手段１４で該ファイルに対し当該ボタンのアクションを実行する。【選択図】        図４
2004164380.tif 000002
【特許請求の範囲】
【請求項１】
ＧＵＩ表示された指示要素で指示されたアプリケーションプログラムがファイルを必要とするか否かを判断する手段と、前記アプリケーションプログラムがファイルを必要と判断したとき、該ファイルをＧＵＩ表示する手段と、前記表示手段にＧＵＩ表示されたファイルから選択されたファイルに対して前記アプリケーションプログラムのアクションを実行する手段とを備えたことを特徴とするコンピュータ装置。
【請求項２】
請求項１記載のコンピュータ装置において、前記ファイルを選択可能にＧＵＩ表示する手段は、ファイルの一覧をＧＵＩ表示することを特徴とするコンピュータ装置。
【請求項３】
請求項２記載のコンピュータ装置において、前記一覧表示されたファイルにファイルを追加し又は削除し又はファイルの並び順を変更する手段を備えたことを特徴とするコンピュータ装置。
【請求項４】
請求項１乃至３のいずれかに記載のコンピュータ装置において、前記ＧＵＩ表示された指示要素で指示されたアプリケーションプログラムがファイルを必要とする判断されたとき、指示要素の表示形態を変化させる手段を備えたことを特徴とするコンピュータ装置。
【請求項５】
ＧＵＩ表示された指示要素で指示されたアプリケーションプログラムのアクションをコンピュータ装置に実行させるためのプログラムであって、ＧＵＩ表示された指示要素で指示されたアプリケーションプログラムがファイルを必要とするか否かを判断する処理手順と、前記アプリケーションプログラムがファイルを必要と判断したとき、該ファイルを選択可能にＧＵＩ表示する処理手順と、前記表示手段に表示されたファイルから選択されたファイルに対して前記アプリケーションプログラムのアクションを実行する処理手順と、ＧＵＩ表示された指示要素で指示されたアプリケーションプログラムがファイルを必要と判断しないと判断したとき、該アプリケーションプログラムのアクションを実行する処理手順をコンピュータ装置に実行させるためのプログラム。
【発明の詳細な説明】
【０００１】
【発明の属する技術分野】
本発明は、画面上にＧＵＩ表示された絵記号で指示されたアプリケーションプログラムにファイルを渡して該アプリケーションプログラムのアクションを実行するコンピュータ装置及びプログラムに関する。
【０００２】
【従来の技術】
パーソナルコンピュータ（以下、パソコンと略称）の高性能化、グラフィックユーザーインターフェース（ＧＵＩ）の普及により、１つのパソコンに多数のアプリケーションプログラムが搭載され、それらを使用して文書処理をはじめとし、いろいろな処理が容易に行われるようになっている。
【０００３】
このときアプリケーションプログラムを起動したり、既に起動しているアプリケーションプログラムを切り換えるユティリティとしてランチャーと呼ばれるアプリケーション起動プログラムが使用される。このプログラムを使用したコンピュータ装置においては、デスクトップのタスクバー上に、絵記号（アイコン）が表示され、ユーザーはこのアイコンをポインティングデバイスでポイントすることによってアイコンで定義されたアプリケーションの処理をすばやく実行することができる。
【０００４】
アプリケーション起動プログラムの例として、Ｍｉｃｒｏｓｏｆｔ  Ｏｆｆｉｃｅ（登録商標）のランチャーが周知である。このランチャーは、（ア）ボタン（アイコン）が複数並んでいる、（イ）それぞれのボタンにはその機能を表す絵柄が表示される、（ウ）ボタンの１つをクリックすることにより、そのボタンのアプリケーション（アクション）が起動する。（特許文献１参照）
【０００５】
【特許文献１】特開平９−２６５３８６号公報（段落（０００３）、（０００４）、（０００５））
【０００６】
このランチャーを改良したランチャーとしてＭｉｃｒｏｓｏｆｔ  Ｗｉｎｄｏｗｓ（登録商標）のクイック起動バーがあるが、このランチャーは、ランチャーのボタンに対してファイルをドラッグ・アンド・ドロップにより渡すことで、そのファイルをそのアプリケーションで開いて、例えば編集など当該アプリケーションプログラムに定義されたアクションを実行する。
【０００７】
しかしながら上述のファイルをアプリケーションで開くランチャーでは、ユーザーは、（１）当該アプリケーションが、開いて使用するファイルを必要とするアプリケーションかどうか、即ちファイル渡しを必要とするアプリケーションか否かを認識しなければならないが、多くのアプリケーションに対しファイル渡しが必要か否かを記憶し認識するのは大変な労力を要する、（２）ファイル渡しを必要とするアプリケーションの場合、フォルダウインドウを開いてそこから必要なファイルを選択し、クイック起動バーの当該アプリケーションにドラッグ・アンド・ドロップすることにより渡さなければならない。そのために、（３）フォルダウインドウを開く操作が必要となり、そのとき、既に画面上に多くのウィンドウが開かれていると素早く処理が行えない、（４）複数のファイルをドラッグ・アンド・ドロップするとき、ユーザーが意図しないファイルまでもドラッグ・アンド・ドロップの対象ファイルとしてドラッグしてしまうことがある、一方でドラッグ・アンド・ドロップの対象ファイルとすべきファイルをドラッグしない場合もある、更に（５）クイック起動バーのアプリケーションに、フォルダウィンドウから複数のファイルを選択してドラッグ・アンド・ドロップする場合、ドロップされるファイルの順番は、ユーザーが選択した順番にならない場合があり、ファイルの処理順に意味がある処理の場合においては、処理に不都合が生じるなどアプリケーションの利用性に問題があった。
【０００８】
【発明が解決しようとする課題】
本発明は、上述のような実状に鑑みてなされたもので、第１の目的は、コンピュータ装置において、ＧＵＩ表示されたアイコンで指示されたアプリケーションプログラムのアクションを実行させる場合に、ユーザーがファイルに対する配慮をしなくてもよいようにすることであり、第２の目的は、ファイルが必要な場合に、必要なファイルを容易に且つ過不足なく選択できるようにすることである。
【０００９】
【課題を解決するための手段】
請求項１の発明は、ＧＵＩ表示された指示要素で指示されたアプリケーションプログラムがファイルを必要とするか否かを判断する手段と、前記アプリケーションプログラムがファイルを必要と判断したとき、該ファイルをＧＵＩ表示する手段と、前記表示手段にＧＵＩ表示されたファイルから選択されたファイルに対して前記アプリケーションプログラムのアクションを実行する手段とを備えたことを特徴とするコンピュータ装置である。
【００１０】
請求項２の発明は、請求項１記載のコンピュータ装置において、前記ファイルを選択可能にＧＵＩ表示する手段は、ファイルの一覧をＧＵＩ表示することを特徴とするコンピュータ装置である。
【００１１】
請求項３の発明は、請求項２記載のコンピュータ装置において、前記一覧表示されたファイルにファイルを追加し又は削除し又はファイルの並び順を変更する手段を備えたことを特徴とするコンピュータ装置である。
【００１２】
請求項４の発明は、請求項１乃至３のいずれかに記載のコンピュータ装置において、前記ＧＵＩ表示された指示要素で指示されたアプリケーションプログラムがファイルを必要とする判断されたとき、指示要素の表示形態を変化させる手段を備えたことを特徴とするコンピュータ装置である。
【００１３】
請求項５の発明は、ＧＵＩ表示された指示要素で指示されたアプリケーションプログラムのアクションをコンピュータ装置に実行させるためのプログラムであって、ＧＵＩ表示された指示要素で指示されたアプリケーションプログラムがファイルを必要とするか否かを判断する処理手順と、前記アプリケーションプログラムがファイルを必要と判断したとき、該ファイルを選択可能にＧＵＩ表示する処理手順と、前記表示手段に表示されたファイルから選択されたファイルに対して前記アプリケーションプログラムのアクションを実行する処理手順と、ＧＵＩ表示された指示要素で指示されたアプリケーションプログラムがファイルを必要と判断しないと判断したとき、直ちに該アプリケーションプログラムのアクションを実行する処理手順をコンピュータ装置に実行させるためのプログラムである。
【００１４】
【発明の実施の形態】
以下、本発明の実施形態を図面を参照して説明する。
はじめに、本発明に係るアプリケーション起動プログラムとアプリケーション起動ボタンとの関係を図１乃至図３を参照して説明する。
図１は、アプリケーション起動プログラムの構成を示す図であり、図２は、コンピュータ装置のタスクバー等に表示されるアプリケーション起動ボタンを示す図であり、そして図３は、アプリケーション起動プログラムにおけるアクション定義テーブルを示す図である。
【００１５】
図１において、アプリケーション起動プログラム１は、アプリケーション起動ボタン表示ＧＵＩ（Ｇｒａｐｈｉｃ  Ｕｓｅｒ  Ｉｎｔｅｒｆａｃｅ）部２、アクション定義部３、ファイル選択部４、ファイル一覧表示ＧＵＩ部５からなる。外部プログラム６については後述する。
【００１６】
図２において、アプリケーション起動ボタン７は、それぞれアクションが定義付けられた１つ以上のボタン７ａ，７ｂ，７ｃ，７ｄ，７ｅからなり、アプリケーション起動ボタン表示ＧＵＩ部２によりタスクバー等に表示され、ユーザーは、ボタン７ａ，７ｂ，７ｃ，７ｄ，７ｅのいずれかをポインティングデバイスによりポイントすることにより対話することができる。
【００１７】
例えば、ボタン７ａをポイントすると、アクション定義部３にポイントされたことが伝えられ、アクション定義部３は、このポイントはアプリケーションａを起動するアクションと定義付けされていること、及びファイル渡しが必要な情報が付与されていることをアプリケーション起動ボタン表示ＧＵＩ部２に返す。ファイル渡しが必要であるとの情報は、ファイル選択ＧＵＩ部４に伝えられ、ファイル選択ＧＵＩ部４は後述するファイル選択ＧＵＩを表示する。このときユーザーによるファイル一覧表示要求に基きファイル一覧表示ＧＵＩ部５は、ファイル一覧表示を行い、この一覧から選択されたファイルを開くためにアプリケーションａを起動するアクションが実行されることになる。なお、アプリケーション起動プログラム１は、定義されたアクションの種類によりアクション定義部３の定義で間に合わない場合に、外部のプログラム６との間で該プログラムで定められたインターフェースに従い、アクション情報の受け渡しを行う。
【００１８】
図３において、アクション定義は、各ボタン７ａ，７ｂ，７ｃ，７ｄ，７ｅ毎に、アクションの内容とファイル渡しの要、不要情報がテーブルにまとめられ、アクション定義部３で管理される。即ち、ボタン７ａ及び７ｂについては、アクションの態様は、それぞれアプリケーションａおよびｂの起動であり、ファイル渡しを必要とする。ボタン７ｃは、アプリケーションｃの起動であり、ファイル渡しを必要としない等である。
【００１９】
図４は、本発明に係るアプリケーション起動プログラムにより構成されるコンピュータ装置の要部ブロック構成図であり、図中、１１はアプリケーション起動ボタン表示ＧＵＩ手段、１２はファイル選択ＧＵＩ手段、１３はファイル一覧表示ＧＵＩ手段、１４はアクション実行手段である。
【００２０】
またＣＰＵ１６はコンピュータ装置を制御する中央処理ユニット、ＲＡＭ１７は各種処理のためにデータやプログラムを一時的に展開し記憶する装置、ＲＯＭ１８はコンピュータ装置を立ち上げるためのＢＩＯＳプログラム等を記憶する装置、ＨＤＤは例えばＭｉｃｒｏｓｏｆｔ  Ｗｉｎｄｏｗｓ（登録商標）のようなマルチスレッドＯＳ、本発明に係るアプリケーション起動プログラム、各種処理データ等を記憶する磁気タイプの記憶装置、２１はキー又はマウスタイプの操作装置、２２は液晶タイプの表示装置である。
【００２１】
次に、本発明の実施形態に係る前記構成を備えたコンピュータ装置の動作を説明する。
いまコンピュータ装置に電源が投入されると、コンピュータ装置は通常の起動方式、つまりＢＩＯＳプログラムによりコンピュータ内部の初期化が図られ、次にＨＤＤ装置１９からＯＳが読み出され、ＲＡＭ１７に展開される。続いて本発明に係るアプリケーション起動プログラムをはじめ、他の既にインストールされている諸々のアプリケーションプログラムがＲＡＭ１７に読み出される。
ここで本発明に係るアプリケーション起動プログラムが読み出されると、このプログラムに従ってＣＰＵ１６はアプリケーション起動ボタン表示ＧＵＩ手段１１を制御して、表示手段２２の表示画面中のタスクバー等に図２で説明したアプリケーション起動ボタン７をＧＵＩ表示する。
【００２２】
このときユーザーがアプリケーション起動ボタン７の例えばボタン７ａをクリック又はポイント（以下、クリック）すると、ＣＰＵ１６はＲＡＭ１７に読み出されているアプリケーション起動プログラムのアクション定義テーブルにアクセスし、ボタン７ａのクリックがアクションはアプリケーションａの起動であり、且つファイル渡しを必要とする情報が付与されていることを判断する。この判断に基いてファイル選択ＧＵＩ手段１２を制御して表示手段２２にファイル選択画面をＧＵＩ表示させる。
【００２３】
図５は、ファイル選択画面をＧＵＩ表示する例を示す図である。このＧＵＩは、Ｍｉｃｒｏｓｏｆｔ  Ｗｉｎｄｏｗｓ（登録商標）のコモンダイアログであるが、ユーザーはこのようなＧＵＩを用いてファイルをまとめて選択し、選択したファイルについて当該ボタンのアクションを実行することができる。ここで、予めファイル一覧をＧＵＩ表示するように設定しておくと、ＣＰＵ１６はファイル一覧ＧＵＩ表示手段１３を制御して、ファイル一覧画面をＧＵＩ表示する。
【００２４】
ファイル一覧画面をＧＵＩ表示する設定として、ポインティングデバイスに複数のボタンがついているような場合、あるボタン（左ボタン）を押したときファイル一覧をＧＵＩ表示し、他のボタン（右ボタン）を押したときファイル一覧を表示しないようにする。
【００２５】
図６は、ファイル一覧画面のＧＵＩ表示の例を示す図であり、ファイル一覧ＧＵＩ表示手段１３は、初期状態で定めた所定の順番にファイルをＧＵＩ表示する。ユーザーは一覧表示されたファイルにチェックマークを入れることにより、必要なファイルの選択が可能であり、「上へ」、「下へ」のボタンをクリックすることにより、そのファイルの並び順を変えるようにする。また「追加」、「削除」ボタンにより、ファイルの追加や削除が行えるようにする。ユーザーは、選択したファイルを確認し、画面上で「ＯＫ」ボタンをクリックすると、ＣＰＵ１６はこの動作を判断し、アクション実行手段１４を制御して選択されたファイルに対してアプリケーションのアクションを実行する。「キャンセル」ボタンを設け、これをクリックすることにより定義されたアクションをキャンセルし選択されたファイルに対して何もしないようにする。なお、チェックマークが付与されたファイルは、転送操作により自動的に当該ボタンに渡すことができるが、ドラッグ・アンド・ドロップにより当該ボタンに渡してもよい。
【００２６】
ユーザーが所定のファイルを選択すると、ＣＰＵ１６はアクション実行手段１４を制御して選択されたファイルに対して当該アプリケーション起動プログラムａのアクションを実行させる。また、アプリケーション起動ボタン７のボタン７ｃをクリックしたときは、ボタン７ｃにはファイル渡しは不要との情報が付与されているので、ＣＰＵ１６はこれを判断し、直ちにアクション実行手段１４を制御してアプリケーションｃを起動するアクションを実行する。
【００２７】
上述の動作を行う手順を更に図面を参照して説明する。
図７は、ファイル渡しの要否に基いてアプリケーションを起動する処理のフロー図である。
図７において、コンピュータ装置の電源がオンされると、この処理を行うアプリケーション起動プログラムが起動し、この処理が開始状態となる。ユーザーがアプリケーション起動ボタンの所定のボタンをクリックすると（Ｓ１）、ＣＰＵ１６はクリックされたボタンの座標によりどのボタンがクリックされたかを判断し（Ｓ２）、アクション定義テーブルにアクセスしてクリックされたボタンに定義されたアクションがファイル渡しを必要とするか否かを判断する（Ｓ３）。
【００２８】
ファイル渡しを必要としないときは（Ｓ３，ＮＯ）、アクション実行手段１４を制御してボタンに定義されたアクションを実行する（Ｓ４）。ファイル渡しを必要とするときは（Ｓ３，ＹＥＳ）、ＣＰＵ１６はファイル選択ＧＵＩ手段１２に指示を出し、ファイル選択画面を表示手段２２にＧＵＩ表示させる（Ｓ５）。このＧＵＩからユーザーが所定のファイルを選択すると（Ｓ６）、ＣＰＵ１６は選択されたファイルに対して当該ボタンに定義されたアクションをアクション実行手段１４に実行させる（Ｓ７）。
【００２９】
図８は、ファイル一覧画面から選択したファイルに対してアクションを実行する処理のフロー図である。
図８に従って説明すると、ユーザーによりファイル渡しが必要なアクションのボタンがクリックされた場合、ＣＰＵ１６はそれを判断してファイル選択ＧＵＩ手段１２を制御し、ファイル選択画面を表示手段２２にＧＵＩ表示し、このＧＵＩによりユーザーは所定のファイルを選択する（Ｓ１１）。
【００３０】
このときＣＰＵ１６は、更にマウスの右ボタンが押されたか左ボタンが押されたかを判断し、ファイル一覧画面をＧＵＩ表示する設定か否かを判断する（Ｓ１２）。ファイル一覧画面をＧＵＩ表示しない設定であるときは（Ｓ１２，ＮＯ）、選択されたファイルに対して一覧順に当該ボタンに定義されたアクションを実行する（Ｓ１３）。ファイル一覧画面をＧＵＩ表示する設定であるときは（Ｓ１２，ＹＥＳ）、ＣＰＵ１６はファイル一覧表示ＧＵＩ手段１３を制御し、表示手段２２にファイル一覧画面をＧＵＩ表示し、ユーザーに必要なファイルを選択させる。ユーザーはファイルの選択後、選択したファイルを確認して実行を承認すると（Ｓ１５，ＹＥＳ）、選択したファイルの一覧順にアクションを実行する（Ｓ１３）。実行が承認されない、つまりキャンセルされると（Ｓ１５，ＮＯ）、この処理は終了する。
【００３１】
本コンピュータ装置では、更に所定のアプリケーション起動ボタンをクリックしたとき、ファイル渡しが必要なアプリケーションプログラムか否かをユーザーに分かり易く表示する。
図９乃至図１２は、ファイル渡しが必要なアプリケーションプログラムの区別を分かり易くする表示例を示す図である。
ファイル渡しが必要な、例えばボタン７ｂがクリックされたとき、ボタンがへこむように形状を変化させ（図９）、又はボタンが出っ張るように変化させ（図１０）、又は絵柄が変わるように変化させる（図１１）。またファイル渡しを必要としない、例えばボタン７ｃがクリックされたとき、ボタンの形状は変化させないようにする（図１２）。これらはアクション定義テーブルのボタン毎に、ボタンの形状情報を持たせることにより、その情報に基いて表示形態を変化させることができる。
【００３２】
以上、ＧＵＩ表示されたアイコンで指示されたアプリケーションプログラムのアクションをコンピュータ装置に実行させる際に、ＧＵＩ表示されたアイコンで指示されたアプリケーションプログラムがファイルを必要とするか否かを判断する処理手順と、前記アプリケーションプログラムがファイルを必要と判断したとき、該ファイルを選択可能にＧＵＩ表示する処理手順と、前記表示手段に表示されたファイルから選択されたファイルに対して前記アプリケーションプログラムのアクションを実行する処理手順と、ＧＵＩ表示されたアイコンで指示されたアプリケーションプログラムがファイルを必要と判断しないと判断したとき、直ちに該アプリケーションプログラムのアクションを実行する処理手順について説明したが、この処理手順を実行するために、コンピュータに命令する手順を周知のプログラム言語で記載し、プログラムを作成する。そしてこのプログラムをＣＤ−ＲＯＭ、ＤＶＤ−ＲＯＭ、フレキシブルディスク等の周知のコンピュータ読み取り可能な記録媒体に記録する。この記録媒体からプログラムをコンピュータ装置に直接、又は電気通信回線を介してダウンロードすることで、以上述べた選択したファイルに対し当該アプリケーションプログラムのアクションを、またファイルを必要としないときは直ちに当該アプリケーションプログラムのアクションを実行することができる。
【００３３】
なお、上述した本発明の実施形態においては、選択されたファイルは、自動的に当該ボタンのアプリケーションプログラムに転送されるが、ドラッグ・アンド・ドロップにより渡すことも可能である。この場合、ドラッグ・アンド・ドロップした後にファイル一覧ＧＵＩを表示させる。このＧＵＩに基いてファイルの追加、削除、並び替えを行う。またファイル一覧ＧＵＩの表示の実行、不実行の選択を可能にする。ファイル一覧ＧＵＩを表示するときのアクション実行の手順は、図８で説明したフロー並びに図１３のフローに従って行われる。図１３において、ファイルがドラッグ・アンド・ドロップにより、ファイル渡しの必要なボタンにドロップされると（Ｓ２１）、その後、図８で述べた処理と同様の処理がステップＳ２２、Ｓ２３，Ｓ２４，Ｓ２５で行われる。ファイル渡しが必要な例えばボタン７ｂにファイルがドラッグ・アンド・ドロップされたとき、ボタン形状を変えることも同様に行うことができる。
【００３４】
【発明の効果】
請求項１，２，５に対応する効果：  ユーザーは、ＧＵＩ表示されたアイコンで指示されたアプリケーションプログラムについて、ファイルが必要なアクションのアプリケーションプログラムか否かを意識することなくアプリケーションプログラムのアクションを行うことができる。ファイルを必要とする場合のファイル選択は、ＧＵＩ表示されるファイル一覧から選択されるので、容易に且つ過不足なく選択することができる。
請求項３に対応する効果：  アプリケーションプログラムによりファイルが開かれた後のファイルを使用する作業を効率的に行うことができる。
請求項４に対応する効果：  ファイルを必要とするアプリケーションプログラムか否かを直感的に判別することができる。
【図面の簡単な説明】
【図１】本発明に係るアプリケーション起動プログラムの構成を示す図である。
【図２】本発明の実施形態に係るアプリケーション起動ボタンを示す図である。
【図３】アクション定義テーブルを示す図である。
【図４】本発明に係るアプリケーション起動プログラムにより構成されるコンピュータ装置の要部ブロック構成図である。
【図５】ファイル選択画面のＧＵＩ表示例を示す図である。
【図６】ファイル一覧画面のＧＵＩ表示例を示す図である。
【図７】ファイル渡しの要否に基いてアプリケーションを起動する処理のフロー図である。
【図８】ファイル一覧画面から選択したファイルに対してアクションを実行する処理のフロー図である。
【図９】アプリケーション起動ボタンの表示例を示す図である。
【図１０】アプリケーション起動ボタンの表示例を示す図である。
【図１１】アプリケーション起動ボタンの表示例を示す図である。
【図１２】アプリケーション起動ボタンの表示例を示す図である。
【図１３】ドラッグ・アンド・ドロップによりファイル渡しが必要なアプリケーションのアクションを実行する処理のフロー図である。
【符号の説明】
１１……アプリケーション起動ボタン表示ＧＵＩ手段、１２……ファイル選択ＧＵＩ手段、１３……ファイル一覧表示ＧＵＩ手段、１４……アクション実行手段、１６……ＣＰＵ、１７……ＲＡＭ、１８……ＲＯＭ、１９……ハードディスク装置、２１……操作手段、２２……表示手段
【図１】
2004164380.tif 000003
【図２】
2004164380.tif 000004
【図３】
2004164380.tif 000005
【図４】
2004164380.tif 000006
【図５】
2004164380.tif 000007
【図６】
2004164380.tif 000008
【図７】
2004164380.tif 000009
【図８】
2004164380.tif 000010
【図９】
2004164380.tif 000011
【図１０】
2004164380.tif 000012
【図１１】
2004164380.tif 000013
【図１２】
2004164380.tif 000014
【図１３】
2004164380.tif 000015